(57)【要約】【課題】ファックス装置が共有で利用されるときに、一の共有者の受信データが他の共有者に容易に盗聴される恐れを解消する技術を提供することを目的とする。【解決手段】ファックス装置は、受信条件と格納先を対応付ける格納情報に基づいて、受信データを格納先に格納するときに、格納先に対応する暗号鍵を利用して受信データを暗号化する。そして、ファックス装置は、受信データを復号化するために必要な認証がなされたときに、格納先に対応する復号鍵を利用して受信データを復号化する。これにより、ファックス装置が受信するデータが暗号化されていないとしても、一の共有者の受信データが他の共有者に容易に盗聴される恐れを解消できる。【選択図】図２
2009017074.tif 000002
【特許請求の範囲】
【請求項１】
受信条件と格納先とを対応付ける格納情報に基づいて、受信データが格納される格納先を判断する格納先判断部と、
受信データが一の格納先に格納されるときに、前記一の格納先に係る暗号鍵を利用して、前記一の格納先に格納される受信データを暗号化する暗号化部と、
前記一の格納先に格納された受信データを復号化するために必要な認証がなされたときに、前記一の格納先に係る復号鍵を利用して、前記一の格納先に格納された受信データを復号化する復号化部と、
を備えることを特徴とするデータ格納装置。
【請求項２】
請求項１に記載のデータ格納装置であって、さらに、
前記一の格納先に格納された受信データが印刷されたときに、前記一の格納先に格納された受信データを前記一の格納先から削除する削除部、
を備えることを特徴とするデータ格納装置。
【請求項３】
受信条件と配信先とを対応付ける配信情報に基づいて、受信データが配信される配信先を判断する配信先判断部と、
受信データが一の配信先に配信されるときに、前記一の配信先に係る暗号鍵を利用して、前記一の配信先に配信される受信データを暗号化する暗号化部と、
を備えることを特徴とするデータ配信装置。
【発明の詳細な説明】
【技術分野】
【０００１】
本発明は、ファックス装置が共有で利用されるときに、一の共有者の受信データが他の共有者に容易に盗聴される恐れを解消する技術に関する。
【背景技術】
【０００２】
ファックス装置は事務用機器として共有で利用されている。送信者はファックス装置の一の共有者にデータを送信するときに、一の共有者を宛先として指定するのではなく、ファックス装置を宛先として指定することがある。そして、ファックス装置は送信者からデータを受信したときに、一の共有者のボックスに受信データを格納する。
【０００３】
ファックス装置は自装置が宛先として指定されるときには、一の共有者のボックスに受信データを格納するために、自装置内に格納情報を登録する。たとえば、ファックス装置は格納情報において登録された送信者からデータを受信したときに、格納情報において当該送信者と対応付けられた一の共有者のボックスに受信データを格納する。一の共有者と当該送信者が頻繁にデータをやり取りするときに有効である。
【特許文献１】特開２００２−７７６３８号公報
【発明の開示】
【発明が解決しようとする課題】
【０００４】
しかし、ファックス装置が一の共有者のボックスに受信データを格納した後であっても、他の共有者が一の共有者のボックスに容易にアクセスする恐れがある。すなわち、一の共有者の受信データが他の共有者に容易に盗聴される恐れがある。
【０００５】
以上の問題点を解決する方法として、特許文献１において開示されているように、親展受信を利用する方法がある。まず、一の共有者と送信者はあらかじめパスワードを取り決める。送信者がパスワードを付してデータを送信したときに、一の共有者はパスワードを入力してデータを確認する。しかし、他の共有者がパスワードを入力してデータを盗聴する恐れを解消できない。
【０００６】
そこで、本発明は前記問題点に鑑み、ファックス装置が共有で利用されるときに、一の共有者の受信データが他の共有者に容易に盗聴される恐れを解消する技術を提供することを目的とする。
【課題を解決するための手段】
【０００７】
上記課題を解決するため、請求項１に記載の発明は、データ格納装置であって、受信条件と格納先とを対応付ける格納情報に基づいて、受信データが格納される格納先を判断する格納先判断部と、受信データが一の格納先に格納されるときに、前記一の格納先に係る暗号鍵を利用して、前記一の格納先に格納される受信データを暗号化する暗号化部と、前記一の格納先に格納された受信データを復号化するために必要な認証がなされたときに、前記一の格納先に係る復号鍵を利用して、前記一の格納先に格納された受信データを復号化する復号化部と、を備えることを特徴とする。
【０００８】
請求項２に記載の発明は、請求項１に記載のデータ格納装置であって、さらに、前記一の格納先に格納された受信データが印刷されたときに、前記一の格納先に格納された受信データを前記一の格納先から削除する削除部、を備えることを特徴とする。
【０００９】
請求項３に記載の発明は、データ配信装置であって、受信条件と配信先とを対応付ける配信情報に基づいて、受信データが配信される配信先を判断する配信先判断部と、受信データが一の配信先に配信されるときに、前記一の配信先に係る暗号鍵を利用して、前記一の配信先に配信される受信データを暗号化する暗号化部と、を備えることを特徴とする。
【発明の効果】
【００１０】
本発明に係るファックス装置は、各共有者の暗号鍵および復号鍵を自装置内に登録する。ファックス装置は自装置内に登録された格納情報に基づいて、一の共有者のボックスに受信データを格納するときに、一の共有者の暗号鍵を利用して受信データを暗号化する。ファックス装置は一の共有者による認証がなされたときに、一の共有者の復号鍵を利用して受信データを復号化する。ファックス装置は受信データを印刷した後に、受信データを一の共有者のボックスから削除する。
【００１１】
ファックス装置がデータを親展受信したときには、親展受信のパスワードおよび一の共有者の暗号鍵により、受信データは他の共有者の盗聴から防御される。ファックス装置がデータを通常どおり受信したときには、一の共有者の暗号鍵により、受信データは他の共有者の盗聴から防御される。そのため、送信者が送信データを親展送信または暗号化しなかったとしても、一の共有者の受信データが他の共有者に容易に盗聴される恐れを解消できる。
【発明を実施するための最良の形態】
【００１２】
｛ファックス送受信システムの構成｝
以下、図面を参照しつつ、本発明の実施の形態について説明する。まず、図１から図３までを用いて、ファックス送受信システムの構成について説明する。図１は、ファックス送受信システムの全体構成を示す図である。ファックス送受信システムは、ファックス装置１、２１、インターネット２、ＬＡＮ３、クライアント端末３１、３２などから構成されている。
【００１３】
ファックス装置２１のユーザは、クライアント端末３１、３２のユーザに画像データなどのデータを送信する。このとき、ファックス装置２１のユーザは、クライアント端末３１、３２のユーザを宛先とするのではなく、ファックス装置１を宛先とする。ファックス装置１、２１として、データの送受信機能のみならず、スキャン機能などをも備えるデジタル複合機（ＭＦＰ）などがあげられる。
【００１４】
ファックス装置２１は、インターネット２を介して、ファックス装置１にデータを送信する。ファックス装置１、２１が、インターネットファックスのみならず、通常のファックスをも取り扱うときには、ファックス送受信システムは、インターネット２のみならず、通常の電話回線網をも備えればよい。
【００１５】
ファックス装置１は、インターネット２を介して、ファックス装置２１からデータを受信する。そして、ファックス装置１は、自装置内に登録された格納情報に基づいて、受信データをユーザボックスに格納する。格納情報については、図２および図３を用いて詳述する。また、ファックス装置１は、自装置内に登録された暗号鍵を利用して、受信データを暗号化する。
【００１６】
クライアント端末３１、３２のユーザは、ファックス装置２１のユーザから画像データなどのデータを受信する。このとき、クライアント端末３１、３２のユーザは、ウェブブラウザを利用してＬＡＮ３を介して、ファックス装置１にウェブアクセスする。または、クライアント端末３１、３２のユーザは、ファックス装置１を操作するためのファックスドライバを利用してもよい。そして、クライアント端末３１、３２のユーザは、ファックス装置１に登録された復号鍵を利用して、受信データを復号化する。クライアント端末３１、３２として、パーソナルコンピュータなどがあげられる。
【００１７】
図１においては、ファックス装置１は、１台のファックス装置２１とデータをやり取りしていて、２台のクライアント端末３１、３２とＬＡＮ３において接続される。しかし、ファックス装置１とデータをやり取りするファックス装置の台数、および、ファックス装置１とＬＡＮ３において接続されるクライアント端末の台数は任意である。
【００１８】
図２は、ファックス装置１の構成要素を示すブロック図である。ファックス装置１は、受信部１１、格納先判断部１２、暗号化部１３１、ユーザボックス１４、接続部１５、ウェブサーバ１６、認証部１７、復号化部１３２、印刷部１８、削除部１９などから構成されている。
【００１９】
受信部１１は、ファックス装置２１からインターネット２を介して、画像データなどのデータを受信して、格納先判断部１２に受信データを出力する。
【００２０】
格納先判断部１２は、受信部１１から受信データを入力する。そして、格納先判断部１２は、受信データの送信者およびタイトルなどを参照することにより、受信データの格納先を判断する。さらに、格納先判断部１２は、暗号化部１３１に受信データを出力する。
【００２１】
ここで、格納先判断部１２は、受信データの格納先を判断するにあたり、受信データの送信者およびタイトルなどと、受信データの格納先と、を対応付ける格納情報１２１を参照する。格納情報１２１については、図３を用いて詳述する。
【００２２】
暗号化部１３１は、格納先判断部１２から受信データを入力する。そして、暗号化部１３１は、ファックス装置１に登録された暗号鍵を利用して、受信データを暗号化する。さらに、暗号化部１３１は、ユーザボックス１４に受信データを出力する。暗号鍵を生成する方法として、公開鍵および秘密鍵を生成する公開鍵方式などを利用できる。
【００２３】
ユーザボックス１４は、暗号化部１３１から受信データを入力して格納する。図２においては、ユーザボックス１４は、ユーザ３１１用ボックス１４１、ユーザ３２１用ボックス１４２を備える。ユーザ３１１およびユーザ３２１は、それぞれ、クライアント端末３１、３２のユーザである。しかし、ユーザボックス１４が備えるユーザ用ボックスの個数は任意である。
【００２４】
接続部１５は、ファックス装置１とクライアント端末３１、３２が、画像データなどのデータをやり取りするためのインターフェースである。
【００２５】
ウェブサーバ１６は、クライアント端末３１、３２に、それぞれ、ユーザ３１１およびユーザ３２１がファックス装置１を操作するためのコンテンツを提供する。また、ウェブサーバ１６は、クライアント端末３１、３２に、それぞれ、ユーザ３１１用ボックス１４１、ユーザ３２１用ボックス１４２に格納された受信データを表示させる。
【００２６】
認証部１７は、ウェブサーバ１６がクライアント端末３１、３２に受信データを表示させるにあたり、クライアント端末３１、３２からパスワードの入力を受け付ける。そして、認証部１７は、クライアント端末３１、３２から入力を受け付けたパスワードを、それぞれ、ユーザ３１１およびユーザ３２１がファックス装置１に登録したパスワードと比較する。
【００２７】
ここで、認証部１７は、両パスワードが一致したことを確認したときには、それぞれ、ユーザ３１１用ボックス１４１、ユーザ３２１用ボックス１４２に格納された受信データを復号化するように、復号化部１３２に要求を行なう。
【００２８】
復号化部１３２は、認証部１７により受信データを復号化すべき要求を受ける。そして、復号化部１３２は、ファックス装置１に登録された復号鍵を利用して、受信データを復号化する。そして、ウェブサーバ１６は、クライアント端末３１、３２に受信データを表示させる。復号鍵を生成する方法として、公開鍵および秘密鍵を生成する公開鍵方式などを利用できる。
【００２９】
印刷部１８は、クライアント端末３１、３２により受信データを印刷すべき要求を受ける。そして、印刷部１８は、受信データを印刷した後に、受信データを削除するように、削除部１９に要求を行なう。
【００３０】
削除部１９は、印刷部１８により受信データを削除すべき要求を受ける。そして、削除部１９は、ユーザボックス１４から受信データを削除する。
【００３１】
図３は、格納情報１２１の内容を示す図である。「受信条件」は、受信データがいずれの送信者から受信されたときに、または、受信データがいかなるタイトルを有するときに、格納情報１２１を適用すべきかを示している。または、「受信条件」として、発信元情報（ＴＳＩ）、ＳＵＢアドレスなどをも利用できる。
【００３２】
「格納先」は、特定の送信者からの受信データ、または、特定のタイトルの受信データを、いずれの格納先に格納すべきか、を示している。「鍵」は、いずれの暗号鍵を利用して受信データを暗号化すべきか、または、いずれの復号鍵を利用して受信データを復号化すべきか、を示している。「出力形式」は、いずれの出力形式により、受信データを格納すべきか、を示している。
【００３３】
たとえば、受信データのタイトルが「レポート１６１」であるときには、格納先判断部１２は、ユーザ３１１用ボックス１４１に受信データを格納すべきと判断する。暗号化部１３１は、暗号鍵１５１を利用して受信データを暗号化して、ＰＤＦ形式に受信データを変換すべきと判断する。復号化部１３２は、復号鍵１５２を利用して受信データを復号化すべきと判断する。
【００３４】
図３においては、１つの受信条件について、１つの格納先が記載されている。しかし、１つの受信条件について、複数の格納先が記載されていてもよい。受信データが複数の格納先に格納されるときに、受信データを暗号化および復号化するための鍵は、各格納先について同一であっても異なっていてもよい。
【００３５】
｛ファックス送受信システムの処理の流れ｝
次に、図４から図８までを用いて、ファックス送受信システムの処理の流れについて説明する。以下の説明では、ユーザ３１１がクライアント端末３１を利用して、ユーザ３１１用ボックス１４１が格納する受信データを印刷する処理の流れを示す。ユーザ３２１がクライアント端末３２を利用して、ユーザ３２１用ボックス１４２が格納する受信データを印刷する処理の流れは、以下の説明で示す処理の流れと同様に行なわれる。
【００３６】
図４は、ユーザ３１１がログインするためのウェブ画面を示す図である。ユーザ３１１は、クライアント端末３１において、ウェブブラウザを起動させる。ファックス装置１のウェブサーバ１６は、クライアント端末３１のウェブブラウザに、ユーザ３１１がログインするためのコンテンツを提供する。クライアント端末３１のウェブブラウザは、ユーザ３１１がログインするためのウェブ画面４を表示する。
【００３７】
ユーザ３１１は、ユーザＩＤ入力ボックス４１に、自己のユーザＩＤを入力する。そして、ユーザ３１１は、パスワード入力ボックス４２に、自己のパスワードを入力する。さらに、ユーザ３１１は、確認ボタン４３をクリックする。ファックス装置１は、ユーザ３１１が入力したユーザＩＤおよび自装置内に登録されたユーザＩＤが一致するかどうかを確認する。また、ファックス装置１は、ユーザ３１１が入力したパスワードおよび自装置内に登録されたパスワードが一致するかどうかを確認する。両ユーザＩＤが一致するとき、および、両パスワードが一致するときについて、以下に説明する。
【００３８】
図５は、ユーザ３１１がユーザ情報を管理するためのウェブ画面を示す図である。ウェブサーバ１６は、クライアント端末３１のウェブブラウザに、ユーザ３１１がユーザ情報を管理するためのコンテンツを提供する。クライアント端末３１のウェブブラウザは、ユーザ３１１がユーザ情報を管理するためのウェブ画面５を表示する。
【００３９】
受信情報取得ボタン５１は、図６で示す受信情報を取得するためのボタンである。受信情報とは、ユーザボックス１４が格納する受信データについて、タイトルおよび送信者などが記載された情報である。
【００４０】
格納情報登録ボタン５２は、図３で示した格納情報１２１を登録するためのボタンである。たとえば、ユーザ３１１は、格納情報登録ボタン５２を利用することにより、格納先が「ユーザ３１１用ボックス１４１」である格納情報を登録する。そして、ユーザ３１１は、タイトル「レポート１６１」および送信者「送信者２１１」を、格納先「ユーザ３１１用ボックス１４１」と対応付ける。また、ユーザ３２１は、格納情報登録ボタン５２を利用することにより、格納先が「ユーザ３２１用ボックス１４２」である格納情報を登録する。そして、ユーザ３２１は、タイトル「レポート１６２」および送信者「送信者２１２」を、格納先「ユーザ３２１用ボックス１４２」と対応付ける。
【００４１】
鍵登録ボタン５３は、図２および図３を用いて説明した暗号鍵および復号鍵を登録するためのボタンである。たとえば、ユーザ３１１は、鍵登録ボタン５３を利用することにより、図３で示した暗号鍵１５１および復号鍵１５２を登録する。また、ユーザ３２１は、鍵登録ボタン５３を利用することにより、図３で示した暗号鍵１５３および復号鍵１５４を登録する。
【００４２】
パスワード登録ボタン５４は、図７で示すパスワードを登録するためのボタンである。図７で示すパスワードは、ユーザボックス１４が格納する受信データを復号化するためのパスワードである。図４で示したパスワードは、ユーザ情報を管理するためのパスワードである。これらのパスワードは、同一であっても異なっていてもよい。
【００４３】
ユーザ３１１は、格納情報登録ボタン５２、鍵登録ボタン５３、パスワード登録ボタン５４を利用することにより、それぞれ、格納情報、鍵、パスワードをすでに登録している。そして、ユーザ３１１は、受信情報取得ボタン５１をクリックすることにより、図６で示す受信情報を取得する。
【００４４】
図６は、ユーザ３１１が受信情報を参照するためのウェブ画面を示す図である。ウェブサーバ１６は、クライアント端末３１のウェブブラウザに、ユーザ３１１が受信情報を参照するためのコンテンツを提供する。また、ウェブサーバ１６は、クライアント端末３１のウェブブラウザに、ユーザ３１１用ボックス１４１が格納する受信データについて、タイトルおよび送信者などが記載された受信情報を提供する。クライアント端末３１のウェブブラウザは、ユーザ３１１が受信情報を参照するためのウェブ画面６を表示する。受信データ一覧表６１には、受信データのタイトルおよび送信者などの情報が記載される。
【００４５】
ユーザ３１１用ボックス１４１は、タイトルが「レポート１６１」、送信者が「送信者２１３」である受信データ１１１を格納している。受信データ１１１のタイトルは「レポート１６１」であるため、格納先判断部１２は格納情報１２１を参照することにより、受信データ１１１をユーザ３１１用ボックス１４１に格納すべきと判断する。また、暗号化部１３１は格納情報１２１を参照することにより、暗号鍵１５１を利用して受信データ１１１を暗号化して、ＰＤＦ形式に受信データ１１１を変換する。
【００４６】
ユーザ３１１用ボックス１４１は、タイトルが「レポート１６３」、送信者が「送信者２１１」である受信データ１１２を格納している。受信データ１１２の送信者は「送信者２１１」であるため、格納先判断部１２は格納情報１２１を参照することにより、受信データ１１２をユーザ３１１用ボックス１４１に格納すべきと判断する。また、暗号化部１３１は格納情報１２１を参照することにより、暗号鍵１５１を利用して受信データ１１２を暗号化して、ＴＩＦＦ形式に受信データ１１２を変換する。
【００４７】
ユーザ３１１は、受信データ選択チェックボックス６２のうち、受信データ１１１についての受信データ選択チェックボックス６２にチェックを入れる。そして、ユーザ３１１は、データ表示ボタン６３をクリックすることにより、クライアント端末３１において、受信データ１１１の内容を表示する。また、ユーザ３１１は、データ印刷ボタン６４をクリックすることにより、受信データ１１１を印刷できる。また、ユーザ３１１は、データ削除ボタン６５をクリックすることにより、受信データ１１１を削除できる。しかし、ユーザ３１１は、受信データ１１１を表示、印刷、削除するにあたり、ユーザ認証を行なう必要がある。
【００４８】
図７は、ユーザ３１１がユーザ認証を行なうためのウェブ画面を示す図である。ウェブサーバ１６は、クライアント端末３１のウェブブラウザに、ユーザ３１１がユーザ認証を行なうためのコンテンツを提供する。クライアント端末３１のウェブブラウザは、ユーザ３１１がユーザ認証を行なうためのウェブ画面７を表示する。
【００４９】
ユーザ３１１は、パスワード入力ボックス７１に、自己のパスワードを入力する。そして、ユーザ３１１は、確認ボタン７２をクリックする。認証部１７は、ユーザ３１１が現時点で図７において入力したパスワード、および、ユーザ３１１が以前に図５において登録したパスワードが一致するかどうかを確認する。両パスワードが一致するときについて以下に説明する。
【００５０】
認証部１７は、受信データ１１１を復号化するように、復号化部１３２に要求を行なう。復号化部１３２は、認証部１７から要求を受けて、格納情報１２１を参照することにより、復号鍵１５２を利用して受信データ１１１を復号化する。そのため、ウェブサーバ１６は、クライアント端末３１のウェブブラウザに、受信データ１１１を提供できる。
【００５１】
図８は、ユーザ３１１が受信データ１１１を参照するためのウェブ画面を示す図である。ウェブサーバ１６は、クライアント端末３１のウェブブラウザに、ユーザ３１１が受信データ１１１を参照するためのコンテンツを提供する。また、ウェブサーバ１６は、クライアント端末３１のウェブブラウザに、ユーザ３１１用ボックス１４１が格納する受信データ１１１を提供する。クライアント端末３１のウェブブラウザは、ユーザ３１１が受信データ１１１を参照するためのウェブ画面８を表示する。受信データ表示部８１には、受信データ１１１の内容が記載される。
【００５２】
ユーザ３１１がデータ印刷ボタン８２をクリックすることにより、印刷部１８は受信データ１１１を印刷する。ユーザ３１１がデータ削除ボタン８３をクリックすることにより、削除部１９は受信データ１１１を削除する。ここで、印刷部１８が受信データ１１１を印刷した後に、削除部１９に受信データ１１１を削除するように要求を行なうことにより、削除部１９は受信データ１１１を削除する。しかし、受信データ１１１のバックアップをとるために、受信データ１１１を削除しないようにしてもよい。
【００５３】
以上で説明したことを要約する。本発明を実施しないときであっても、ファックス装置２１がファックス装置１に暗号化されたデータを送信するならば、ユーザ３１１以外の他の共有者が受信データを盗聴することは困難である。しかし、ファックス装置２１がファックス装置１に暗号化されていないデータを送信するならば、ユーザ３１１がデータを親展受信したとしても、ユーザ３１１以外の他の共有者が受信データを盗聴することは容易である。
【００５４】
しかし、本発明においては、格納情報１２１によりユーザ３１１に割り振られる受信データは、ファックス装置１に登録されたユーザ３１１の暗号鍵１５１により暗号化される。そして、ユーザ３１１による認証がなされたときに、ファックス装置１に登録されたユーザ３１１の復号鍵１５２により復号化される。さらに、受信データは印刷された後に削除される。
【００５５】
これにより、ファックス装置２１がファックス装置１に暗号化されていないデータを送信するときであっても、ユーザ３１１以外の他の共有者が受信データを盗聴することは困難になる。仮にユーザ３１１以外の他の共有者が受信データを盗聴して改ざんしたとしても、ユーザ３１１は受信データの改ざんについて確認できる。
【００５６】
｛変形例｝
上述した実施例においては、ファックス装置１は、格納情報１２１に基づいて、ユーザボックス１４に受信データを格納する。そして、ファックス装置１は、ユーザからウェブアクセスを受けたときに、受信データを印刷する。
【００５７】
ここで、ファックス装置１は、ユーザボックス１４に受信データを格納することなく、ユーザ３１１、３２１に受信データを配信することも可能である。このときは、ファックス装置１は、「格納先」が記載された格納情報１２１ではなく、「配信先」が記載された配信情報１２１を、自装置内に登録している。また、ファックス装置１は、格納先判断部１２ではなく、配信先判断部１２を備えている。そして、ユーザ３１１、３２１は、配信情報１２１のうち「配信先」として、ユーザ３１１、３２１のメールアドレスを登録する。
【００５８】
たとえば、ファックス装置１がファックス装置２１から、タイトルが「レポート１６１」であるデータを受信したときを考える。配信先判断部１２は、配信情報１２１を参照して、ユーザ３１１のメールアドレスに受信データを配信すべきと判断する。暗号化部１３１は、配信情報１２１を参照して、暗号鍵１５１を利用して受信データを暗号化すべきと判断する。
【００５９】
暗号化された受信データは、ユーザ３１１のメールアドレスに配信される。ユーザ３１１は、クライアント端末３１において、復号鍵１５２を利用して受信データを復号化する。このとき、ユーザ３１１による認証を必要としてもよい。
【００６０】
また、ファックス装置１は、ユーザボックス１４に受信データを格納することなく、ユーザ３１１、３２１の共有フォルダに受信データを配信することも可能である。このときも、ファックス装置１は、配信情報１２１を自装置内に登録しており、配信先判断部１２を備えている。ユーザ３１１、３２１は、配信情報１２１のうち「配信先」として、ユーザ３１１、３２１の共有フォルダを登録する。
【００６１】
たとえば、ファックス装置１がファックス装置２１から、タイトルが「レポート１６１」であるデータを受信したときを考える。配信先判断部１２は、配信情報１２１を参照して、ユーザ３１１、３２１の共有フォルダに受信データを配信すべきと判断する。暗号化部１３１は、配信情報１２１を参照して、暗号鍵１５１を利用して受信データを暗号化すべきと判断する。
【００６２】
暗号化された受信データは、ユーザ３１１、３２１の共有フォルダに配信される。ユーザ３１１は、クライアント端末３１において、ユーザ３１１、３２１の共有フォルダにアクセスして、復号鍵１５２を利用して受信データを復号化する。このとき、共有フォルダはユーザ３１１、３２１の共有に係るものであるため、ユーザ３１１による認証を必要としてもよい。
【図面の簡単な説明】
【００６３】
【図１】ファックス送受信システムの全体構成を示す図である。
【図２】ファックス装置の構成要素を示すブロック図である。
【図３】格納情報の内容を示す図である。
【図４】ユーザがログインするためのウェブ画面を示す図である。
【図５】ユーザがユーザ情報を管理するためのウェブ画面を示す図である。
【図６】ユーザが受信情報を参照するためのウェブ画面を示す図である。
【図７】ユーザがユーザ認証を行なうためのウェブ画面を示す図である。
【図８】ユーザが受信データを参照するためのウェブ画面を示す図である。
【符号の説明】
【００６４】
１  ファックス装置
２  インターネット
３  ＬＡＮ
１１  受信部
１２  格納先判断部
１４  ユーザボックス
１５  接続部
１６  ウェブサーバ
１７  認証部
１８  印刷部
１９  削除部
２１  ファックス装置
３１、３２  クライアント端末
１２１  格納情報
１３１  暗号化部
１３２  復号化部
【図１】
2009017074.tif 000003
【図２】
2009017074.tif 000004
【図３】
2009017074.tif 000005
【図４】
2009017074.tif 000006
【図５】
2009017074.tif 000007
【図６】
2009017074.tif 000008
【図７】
2009017074.tif 000009
【図８】
2009017074.tif 000010